(57)【要約】【課題】本発明の課題は、受信又は読み取った文書を簡単に拡大表示させる技術を提供することにある。また、文書中の所望の箇所のみを送信又は印刷できる技術を提供することにある。【解決手段】本発明のファクシミリ装置は、文書を複数のイメージに分割して入力キーを割付け、割り付けたキーを示すキーマップを表示させる。更に、拡大表示したい部分に割り付けられている入力キーを押下すると、その領域が拡大表示される。また、この拡大表示された領域のみを送信又は印刷する。【選択図】図１
2007274025.tif 000002
【特許請求の範囲】
【請求項１】
ファクシミリ装置であって、
文書のデータが保持されているメモリ部と、
前記メモリ部に保持されている文書のイメージを複数に分割し、この分割した各イメージに入力キーを割り付け、前記文書の縮小イメージと、分割した各イメージに割り付けた入力キーの配置を示すキーマップとを表示させる縮小画面制御手段と、
選択された入力キーが割り付けられているイメージを拡大して表示させる画面制御手段と
を有することを特徴とするファクシミリ装置。
【請求項２】
前記画面制御手段は、選択された入力キーが割り付けられているイメージの座標を前記縮小画面制御手段から取得し、取得した座標に基づいて前記メモリ部から読み出した文書のイメージの対応している箇所を拡大させるように構成されていることを特徴とする請求項１に記載のファクシミリ装置。
【請求項３】
前記画面制御手段は、複数選択された入力キーが割り付けられているイメージを拡大して表示させるように構成されていることを特徴とする請求項１又は請求項２に記載のファクシミリ装置。
【請求項４】
前記画面制御手段が表示させているイメージを送信する送信手段、又は前記画面制御手段が表示させているイメージを印刷する印刷手段を有することを特徴とする請求項１から請求項３のいずれかに記載のファクシミリ装置。
【請求項５】
ファクシミリ装置の表示方法であって、
メモリ部に保持されている文書のイメージを複数に分割し、この分割した各イメージに入力キーを割り付ける割付ステップと、
前記文書の縮小イメージと、分割した各イメージに割り付けられた入力キーの配置を示すキーマップとを表示させる縮小イメージ表示ステップと、
選択された入力キーが割り付けられているイメージを拡大して表示させる拡大表示ステップと
を有することを特徴とする表示方法。
【請求項６】
前記拡大表示ステップは、選択された入力キーが割り付けられているイメージの座標を取得する取得ステップと、
前記取得した座標に基づいて前記メモリ部から読み出した文書のイメージの対応している箇所を拡大する拡大ステップと
を有すること特徴とする請求項５に記載の表示方法。
【請求項７】
前記拡大表示ステップは、複数選択された入力キーが割り付けられているイメージを拡大して表示させることを特徴とする請求項５又は請求項６に記載の表示方法。
【請求項８】
前記拡大表示ステップで表示させたイメージを送信する送信ステップ、又は前記拡大表示ステップで表示させたイメージを印刷する印刷ステップを更に有することを特徴とする請求項５から請求項７のいずれかに記載の表示方法。
【請求項９】
ファクシミリ装置のプログラムであって、前記プログラムは前記ファクシミリ装置を、
メモリ部に保持されている文書のイメージを複数に分割し、この分割した各イメージに入力キーを割り付け、前記文書の縮小イメージと、分割した各イメージに割り付けた入力キーの配置を示すキーマップとを表示させる縮小画面制御手段と、
選択された入力キーが割り付けられているイメージを拡大して表示させる画面制御手段と
して機能させることを特徴とするプログラム。
【請求項１０】
前記プログラムは、前記画面制御手段を、選択された入力キーが割り付けられているイメージの座標を前記縮小画面制御手段から取得し、取得した座標に基づいて前記メモリ部から読み出した文書のイメージの対応している箇所を拡大させる手段として機能させることを特徴とする請求項９に記載のプログラム。
【請求項１１】
前記プログラムは、前記画面制御手段を、複数選択された入力キーが割り付けられているイメージを拡大して表示させる手段として機能させることを特徴とする請求項９又は請求項１０に記載のプログラム。
【請求項１２】
前記プログラムは、前記ファクシミリ装置を、
前記画面制御手段が表示させているイメージを送信する送信手段、又は前記画面制御手段が表示させているイメージを印刷する印刷手段として更に機能させることを特徴とする請求項９から請求項１１のいずれかに記載のプログラム。
【発明の詳細な説明】
【技術分野】
【０００１】
本発明は、受信又はスキャナを用いて読み取った文書のイメージを画面に表示させるファクシミリ装置の技術に関し、特に、受信又はスキャナを用いて読み取った文書のイメージの一部を簡単に拡大表示させるファクシミリ装置の技術に関する。
【背景技術】
【０００２】
従来のファクシミリ装置は、受信した文書又はスキャン（読み取り）した文書のデータを画面に表示させ、ユーザは画面に表示されたイメージを確認して必要に応じて印刷していた（例えば特許文献１）。
【０００３】
しかしながら、画面に表示させるだけでは詳細がわからない場合があるため、表示されているイメージを、方向キーを押下することによりスクロールさせて拡大したい箇所を探し、拡大したい箇所が表示されるとその部分を拡大して表示させる技術が提案されている（例えば特許文献２）。
【０００４】
また、文書のイメージを拡大して表示させる技術として、表示されたイメージ上に配置されたポインタで拡大したい箇所の中心となる部分を選択して、その箇所を中心にして拡大して表示させる技術が提案されている（例えば特許文献３）。
【特許文献１】特開平８‐３１７１０８号
【特許文献２】特開２０００-１０１７５７号
【特許文献３】特開２００５−２０３８５１号
【発明の開示】
【発明が解決しようとする課題】
【０００５】
上述した特許文献２の技術の場合、操作が煩わしいという問題がある。これは、画面に表示されている文書のイメージをスクロールさせて拡大させたい箇所を探さないとならないからである。また、拡大した際に、画面に表示させるイメージの座標が基準点となる左上に戻ってしまい、その場合は再度スクロールして、拡大させたい箇所を表示させる必要がある。
【０００６】
また、上記特許文献３の技術の場合、ユーザが所望する箇所を表示されている領域の中から選択して拡大させるものであって、例えば、ユーザが所望した箇所を拡大した後、画面に表示されていない箇所を拡大したい場合、その箇所を表示させて選択するしかなく、操作が煩わしいという問題がある。
【０００７】
そこで、本発明が解決しようとする課題は、上記問題点を解決することであって、拡大したい箇所が表示画面外であったとしても、1回のボタン押下で拡大したい箇所を表示できる技術を提供することにある。
【０００８】
更に、本発明が解決しようとする課題は、ユーザが送信又は印刷したい箇所のみを１箇所だけでなく複数個所を選択して送信又は印刷することが可能となる技術を提供することにある。
【課題を解決するための手段】
【０００９】
上記課題を解決するための第１の発明は、ファクシミリ装置であって、
文書のデータが保持されているメモリ部と、
前記メモリ部に保持されている文書のイメージを複数に分割し、この分割した各イメージに入力キーを割り付け、前記文書の縮小イメージと、分割した各イメージに割り付けた入力キーの配置を示すキーマップとを表示させる縮小画面制御手段と、
選択された入力キーが割り付けられているイメージを拡大して表示させる画面制御手段と
を有することを特徴とする。
【００１０】
上記課題を解決するための第２の発明は、上記第１の発明において、
前記画面制御手段は、選択された入力キーが割り付けられているイメージの座標を前記縮小画面制御手段から取得し、取得した座標に基づいて前記メモリ部から読み出した文書のイメージの対応している箇所を拡大させるように構成されていることを特徴とする。
【００１１】
上記課題を解決するための第３の発明は、上記第１又は第２の発明において、前記画面制御手段は、複数選択された入力キーが割り付けられているイメージを拡大して表示させるように構成されていることを特徴とする。
【００１２】
上記課題を解決するための第４の発明は、上記第１から第３のいずれかの発明において、
前記画面制御手段が表示させているイメージを送信する送信手段、又は前記画面制御手段が表示させているイメージを印刷する印刷手段を有することを特徴とする。
【００１３】
上記課題を解決するための第５の発明は、
ファクシミリ装置の表示方法であって、
メモリ部に保持されている文書のイメージを複数に分割し、この分割した各イメージに入力キーを割り付ける割付ステップと、
前記文書の縮小イメージと、分割した各イメージに割り付けられた入力キーの配置を示すキーマップとを表示させる縮小イメージ表示ステップと、
選択された入力キーが割り付けられているイメージを拡大して表示させる拡大表示ステップと
を有することを特徴とする。
【００１４】
上記課題を解決するための第６の発明は、上記第５の発明において、
前記拡大表示ステップは、選択された入力キーが割り付けられているイメージの座標を取得する取得ステップと、
前記取得した座標に基づいて前記メモリ部から読み出した文書のイメージの対応している箇所を拡大する拡大ステップと
を有すること特徴とする。
【００１５】
上記課題を解決するための第７の発明は、上記第５又は第６の発明において、
前記拡大表示ステップは、複数選択された入力キーが割り付けられているイメージを拡大して表示させることを特徴とする。
【００１６】
上記課題を解決するための第８の発明は、上記第５から第７の発明において、
前記拡大表示ステップで表示させたイメージを送信する送信ステップ、又は前記拡大表示ステップで表示させたイメージを印刷する印刷ステップを更に有することを特徴とする。
【００１７】
上記課題を解決するための第９の発明は、
ファクシミリ装置のプログラムであって、前記プログラムは前記ファクシミリ装置を、
メモリ部に保持されている文書のイメージを複数に分割し、この分割した各イメージに入力キーを割り付け、前記文書の縮小イメージと、分割した各イメージに割り付けた入力キーの配置を示すキーマップとを表示させる縮小画面制御手段と、
選択された入力キーが割り付けられているイメージを拡大して表示させる画面制御手段と
して機能させることを特徴とする。
【００１８】
上記課題を解決するための第１０の発明は、上記第９の発明において、
前記プログラムは、前記画面制御手段を、選択された入力キーが割り付けられているイメージの座標を前記縮小画面制御手段から取得し、取得した座標に基づいて前記メモリ部から読み出した文書のイメージの対応している箇所を拡大させる手段として機能させることを特徴とする。
【００１９】
上記課題を解決するための第１１の発明は、上記第９又は第１０の発明において、
前記プログラムは、前記画面制御手段を、複数選択された入力キーが割り付けられているイメージを拡大して表示させる手段として機能させることを特徴とする。
【００２０】
上記課題を解決するための第１２の発明は、上記第９から第１１の発明において、
前記プログラムは、前記ファクシミリ装置を、
前記画面制御手段が表示させているイメージを送信する送信手段、又は前記画面制御手段が表示させているイメージを印刷する印刷手段として更に機能させることを特徴とする。
【００２１】
本発明は、受信したファクス文書又はスキャンした文書をファクシミリ装置の液晶画面に、拡大時の操作性を向上させるための画面の右横に文書の縮小図と、その縮小図を９分割し、分割された各エリアとテンキー（１−９）とを対応づけたキーマップとを表示する。
【００２２】
ユーザは縮小図を見て拡大したい部分が決まったらキーマップを見て、拡大したい部分に割り付けられているテンキー番号を確認する。あとはその番号のテンキー（割り付けられた番号が９であればテンキー９）を押下するだけで、その領域が一発で拡大されるとことを特徴とする。この方式であればたとえその領域が画面外であったとしても一発で拡大が可能である。尚、テンキーは、ファクシミリ装置に通常具備されている番号キーである。
【００２３】
また、本発明は、ファクス送信時、文書の指定した部分のみを送信または印刷するために、画面の右横に文書の縮小図と縮小図の縦を４分割し、分割された各エリアにテンキー（１−４）を対応づけたキーマップを表示する。
【００２４】
ユーザは縮小図を見て、送信または印刷したい部分が決まったら、キーマップを見て、対応付けられているキー番号に従って、テンキーを押下する。すると指定した領域が画面に表示されるので、その内容で良ければセットを押下して送信または印刷する領域を確定する。印刷したい場所が他にもある場合は同様の手順で領域を確定する。その後で「ファクス」ボタンを押下すれば、選択確定した領域のみファクス送信することができ、「印刷」ボタンを押下すれば、選択確定した領域のみ印刷することができることを特徴とする。
【発明の効果】
【００２５】
本発明によると、画面に表示された文書を拡大するときに、ユーザは縮小図から拡大したい場所を決め、その場所に対応した番号をキーマップから判断し、その番号をテンキーから入力するこができるので、1回のボタン押下で拡大したい場所を表示することができる。また、拡大したい場所が画面外であったとしても同様に1回のボタン押下で拡大したい場所を表示することができる。
【００２６】
更に、本発明によると、指定した部分のみを送信または印刷したい場合に、ユーザは画面に表示されている文書の縮小図から送信または印刷したい箇所を決め、その箇所に対応した番号をキーマップで判断し、その番号をテンキーで押下すると指定した領域が画面に表示され、セットを押下すると送信または印刷する領域として確定する。複数の箇所を指定したい場合は前記動作を繰り返す。最後にファクスボタンを押下すればファクス送信を行い、印刷ボタンを押下すれば印刷が行われる。これにより、ユーザは送信したい場所のみを送信可能となる。同様に印刷したい場所のみ印刷することも可能となる。
【発明を実施するための最良の形態】
【００２７】
本発明では、受信したファクス文書又はスキャン（読み取り）した文書のイメージを液晶画面に表示可能できるファクシミリにおいて、まずスキャンした文書の拡大時の操作性を向上するために画面の右横に文書（Ａ４）の縮小図と縮小図を複数個に分割し、分割された各エリアとテンキーを対応づけるためのキーマップを表示するように構成されている。
【００２８】
ユーザは縮小図を見て拡大したい部分が決まったらキーマップを見て、拡大したい部分に割り付けられているテンキー番号を確認する。そして、その番号のテンキー（割り付けられた番号が９であればテンキー９）を押下するだけで、その領域がすぐに拡大される（図４）。この方式であれば、たとえ拡大したい領域が画面外であったとしても1回の操作で拡大が可能となる。
【００２９】
本発明の第１の実施の形態について説明する。図１は本発明の構成を示すブロック図である。
【００３０】
交換機１はいわゆる電話の交換機であり、本発明で説明するファクシミリ装置の外部にあるものである。従って交換機１を除いた部分（枠線で囲んだ部分）が本発明の構成範囲となる。
【００３１】
モデム２は、ファクシミリの送受信時にデータを変調、復調するために使用される。
【００３２】
ファクシミリ通信制御部３は、ファクス送受信を制御するブロックである。
【００３３】
メモリ４は、スキャンした文書またはファクス受信した文書のイメージデータを蓄積するものである。メモリ４に蓄積されている文書データを印刷する場合、ユーザが操作パネル１０を使って印刷を指定すると、その要求はUI制御部９に通知され、UI制御部９がメモリ４から文書データを読み出し、プリンタ制御部５に受信文書情報を含んだ印刷要求を発行する。
【００３４】
プリンタ制御部５は、メモリ４から文書データを読み出し、プリンタ６に文書データを渡して印刷させる。
【００３５】
スキャナ制御部７は、スキャナ８を制御して文書をスキャンし、スキャンした文書データはメモリ４に格納される。そして、受信文書またはスキャンした文書のイメージを画面に表示させる場合は、LCD制御部１１に含まれる液晶ファクス制御部１２及び縮小画面制御部１３が主に動作することになる。
【００３６】
UI制御部９は、文書をスキャンする場合にユーザが操作パネル１０からスキャンが指定されるとその要求が通知され、保存用ファイルを指定してスキャナ制御部７にスキャン要求を発行する。
【００３７】
操作パネル１０は、ユーザが各種指示を出すために用いられるものである。操作パネル１０には、一般のファクシミリ装置に具備されているテンキー（０〜９，＊，＃）も含まれる。
【００３８】
液晶ファクス制御部１２は、文書をメモリ４から読み出して表示する。又、ＵＩ制御部９からの指示に基づいて各種処理を行うものである。
【００３９】
縮小画面制御部１３は、スキャンした文書のイメージを縮小させて画面に表示したり、ユーザが入力したボタン（指示）に従い、各種動作を液晶ファクス制御部１２に要求したりする機能を有する。また、文書のイメージを複数に分割して、この分割した各イメージにテンキーを割り付ける。そして、分割した各イメージに割り付けたテンキーが分割したイメージのどの分に対応しているかを示すキーマップを作成してLCD（図２の１８）に表示させる。尚、本実施の形態では９つに分割した場合を用いて説明するが、テンキーで対応できればいくつであっても良い。
【００４０】
LCD１４は、液晶ファクス制御部１２または縮小画面制御部１３からの表示要求に従い、文書のイメージを表示する。
【００４１】
続いて、第１の実施の形態の動作について説明する。図５は、第１の実施の形態の動作を説明するための図である。
【００４２】
まず、ユーザが拡大モードを選択し、画面（図２の１６）に受信した文書を表示する動作について説明する。尚、受信したファクス文書のデータが既にメモリ４に格納されているものとする。
【００４３】
ユーザが操作パネル１０を用いて拡大モードを選択すると、UI制御部９がそれを認識して液晶ファクス制御部１２に拡大モード要求を通知する。
【００４４】
その要求を受けた液晶ファクス制御部１２は、下位モジュールである縮小画面制御部１３に拡大モード要求を通知する。そして、液晶ファクス制御部１２は、その後にメモリ４に対して受信したファクス文書のデータ要求を送り、受信したファクス文書のデータをメモリ４から読み出す。
【００４５】
そして液晶ファクス制御部１２は、読み出したデータを縮小して縮小図用のデータを作成して、縮小画面制御部１３に転送する。
【００４６】
更に、液晶ファクス制御部１２は、イメージ表示領域（図２の１６）に表示するデータを用意して、縮小画面制御部１３からの表示完了を待つ。この時、液晶ファクス制御部１２が用意する表示データは、受信した文書の左上を座標の原点としイメージである。尚、本実施の形態では、受信した文書の左上を座標とした場合を用いて説明するが、これは任意であってよいものとする。また、表示させるイメージの拡大／縮小率は任意であってよい。
【００４７】
一方、縮小画面制御部１３は縮小データを液晶ファクス制御部１２から受け取ると、それをＡ４縮小図としてLCD（図２の１７）に表示させる。それと同時にA4縮小図に対応したキーマップ図を作成してLCD（図２の１８）に表示させる。
【００４８】
縮小画面制御部１３は、Ａ４縮小図及びキーマップ図の表示が完了したら、表示完了通知を液晶ファクス制御部１２に送る。表示完了通知を受信した液晶ファクス制御部１２は、先ほど作成した表示用イメージをLCD（図２の１６）に表示させる。ここまでで受信文書の拡大モードの画面表示が完了する（図３の状態）。
【００４９】
続いて、受信文書の拡大モードの画面表示が完了した後に、ユーザが拡大させたい指定箇所を指定してその部分を拡大して表示する場合について説明する。尚、ここではユーザが文書の右下を拡大させたい箇所として指定する場合について説明する。
【００５０】
ユーザは縮小図から拡大したい箇所を決めて、その箇所に対応しているキー番号を、キーマップを見て確認する。本実施の形態（図５の例）では右下の領域を指定するので、ユーザは“９”を選択する。
【００５１】
ユーザが操作パネル１０を用いて“９”を押下するとUI制御部９はその情報を液晶ファクス制御部１２に通知する。
【００５２】
液晶ファクス制御部１２は、“９”が押された場合はどの部分を拡大させるかを知るために縮小画面制御部１３に処理問い合わせ（９押下）を通知する。
【００５３】
縮小画面制御部１３は、この通知を受けて、拡大モードで“９”が押下された場合の処理を応答通知（拡大率／座標）で液晶ファクス制御部１２に知らせる。尚、拡大率は、“９”を押下する前か後かのタイミングでユーザがするものとする。
【００５４】
液晶ファクス制御部１２では応答通知で知らされた内容（拡大率／座標）に基づいて処理を行う。この場合は指定された座標を指定された拡大率で拡大して表示する必要があるので、メモリ４にデータ要求を通知してメモリから新たに文書データを読み出す。そして指定された部分を指定された拡大率で拡大して表示用イメージを作成する。
【００５５】
イメージ作成が完了したらLCD（図２の１６）に表示を行う（図４の状態）。
【００５６】
以上でユーザが指定した領域を簡単な手順で拡大することができる。また、ユーザが指定した領域が画面外であったとしても1回の操作で拡大が可能となる。これを具体的に述べると図３の縮小図で「す」の部分はイメージ表示領域に表示されていないがテンキー“９”を押下することにより1回の操作で「す」の部分が拡大されイメージ表示領域に表示されるということである。
【００５７】
次に、本発明の第２の実施の形態について説明する。
【００５８】
本実施の形態では、受信したファクス文書およびスキャンした文書を液晶画面に表示可能なファクシミリにおいて、ファクス送信時、受信文書の印刷時に指定した部分のみ送信または印刷するために、画面の右横に文書（Ａ４）の縮小図と縮小図を横に４分割し、分割された各エリアにテンキー（１−４）を対応づけるためのキーマップを表示する。尚、本実施の形態では４分割する場合について説明するが、テンキーで対応できれば、いくつでも良い。
【００５９】
ユーザは縮小図を見て、送信または印刷したい部分が決まったら、キーマップを見て、対応付けられているキー番号に従って、テンキーを押下する。すると指定した領域が画面に表示されるので、その内容で良ければセットを押下して送信または印刷する領域を確定する。印刷したい場所が他にもある場合は同様の手順で領域を確定する。（図８）その後で「ファクス」ボタンを押下すれば、選択確定した領域のみファクス送信することができ、「印刷」ボタンを押下すれば、選択確定した領域のみ印刷することができる。
【００６０】
本実施の形態では、上記第１の実施の形態と同一の構成をとるため、同様の構成については同一番号を付し、詳細な説明は省略する。
【００６１】
図９、図１０、図１１、図１２を用いて第２の実施の形態の動作を説明する。
【００６２】
第２の実施の形態ではスキャンした文書を画面に縮小図として表示させ、その縮小図から送信したい箇所のみを選択して送信する場合（図９、図１０）と、ファクス受信した文書を画面に表示し、縮小図から印刷したい箇所のみを指定して印刷する場合（図１１、図１２）について説明する。
【００６３】
まず、図９、図１０に示される縮小図から送信したい箇所のみを選択して送信するケースについて説明する。
【００６４】
ユーザが操作パネル１０を用いて文書のスキャンを指定するとUI制御部９がそれを認識し、スキャナ制御部７にスキャン開始を通知する。
【００６５】
そしてスキャナ制御部７はスキャナ８にスキャン開始を通知してスキャンを開始する。
【００６６】
スキャンされたデータはメモリ４に格納され、スキャンが完了すると、スキャナ制御部７はスキャナ８にスキャン終了を通知し、かつUI制御部９にスキャン終了を通知する。
【００６７】
次にUI制御部９は液晶ファクス制御部１２にスキャン文書の表示要求を通知する。
【００６８】
この要求を受けた液晶ファクス制御部１２は、下位モジュールである縮小画面制御部１３にスキャン文書の表示要求を通知する。
【００６９】
そして、メモリ４に対してスキャンデータの読出要求を送り、スキャンデータをメモリ４から読み出す。そして読み出したデータを縮小して縮小図用のデータを作成して、縮小画面制御部１３に転送する。そしてイメージ表示領域（図６の３１）に表示するイメージデータを用意して、縮小画面制御部１３からの表示完了を待つ。この時、液晶ファクス制御部１２が用意する表示データは、スキャンした文書の左上を座標の原点としたイメージである。尚、本実施の形態では、受信した文書の左上を座標とした場合を用いて説明するが、これは任意であってよいものとする。また、表示させるイメージの拡大／縮小率は任意であってよい。
【００７０】
一方、縮小面制御部１３は液晶ファクス制御部１２から縮小データを受け取るとそれをA4縮小図（図６の３２）としてLCDに表示を行う。それと同時にA4縮小図の縦を4分割したキーマップ図（図６の３３）も作成してLCDに表示を行う。これらの表示が完了したら縮小画面制御部１３は表示完了通知を液晶ファクス制御部１２に送る。
【００７１】
表示完了通知を受信した液晶ファクス制御部１２は、先ほど作成した表示用イメージをLCDに表示する。ここまででスキャン文書表示モードの画面表示が完了する（図７の状態）。
【００７２】
次にユーザは表示された縮小図から送信したい領域を決めて、その領域に対応したキー番号をキーマップから選択する。本実施の形態（図１０の例）では“２”の領域を指定するので“２”を選択。
【００７３】
ユーザが操作パネルから“２”を押下するとUI制御部９はそれを認識し、その情報を液晶ファクス制御部１２に通知する。液晶ファクス制御部１２は“２”が押下された場合の処理を知るために縮小画面制御部１３に処理問い合わせ（２押下）を通知する。
【００７４】
この通知を受け、縮小画面制御部１３はスキャン文書表示モードで“２”を押下された場合の処理を応答（表示／２の領域）通知で液晶ファクス制御に知らせる。
【００７５】
液晶ファクス制御部１２では応答通知で知らされた内容に基づいて処理を行う。この場合は“２”の領域を表示する必要があるので、メモリ４にデータ要求を通知してメモリから“２”の領域のデータを読み出す。そして表示用イメージを作成しLCDに表示する。
【００７６】
そしてユーザが表示された領域を送信する領域として確定したい場合は“セット”を押下する。すると操作パネルからUI制御部９に“セット”が通知される。そしてその情報は更に液晶ファクス制御部１２にも通知される。
【００７７】
液晶ファクス制御部１２は縮小画面制御部１３に処理問い合わせ（セット押下）を通知して、処理を問い合わせる。縮小画面制御部１３では“セット”押下時の処理内容として応答（B2送信確定）を液晶ファクス制御部１３に返信する。ここでB2送信確定とは領域“２”を送信確定するという意味である。ここまでで領域“２”がファクス送信したい領域として確定する。図１０の例では領域“４”も送信したい領域としているので、同様の手順により、領域“４”も送信したい領域として確定する。ここまでで領域“２”と領域“４”とが送信領域として確定する（図８の状態）。
【００７８】
ここからユーザが操作パネルのファクスボタンを押下するとUI制御部９はそれを認識し、その情報をファクシミリ通信制御部３に通知する。ファクシミリ通信制御部３は“ファクスボタン”が押下された場合の処理を知るためにＬＣＤ制御部１１に処理問い合わせ（ファクシミリ押下）を通知する。
【００７９】
この通知を受け、ＬＣＤ制御部１１はスキャン文書表示モードで“ファクスボタン”を押下された場合の処理を応答（ファクス送信／２及び４の領域）通知でファクシミリ制御部３に知らせる。
【００８０】
ファクシミリ制御部３は、指定された領域“２”と領域“４”とのみをファクス送信する。
【００８１】
以上でユーザが指定した領域を簡単な手順で指定し、指定された領域のみファクス送信することができる。
【００８２】
次に図１１、図１２に示される縮小図から印刷したい箇所のみを選択して印刷するケースについて説明する。
【００８３】
ユーザが操作パネル１０から受信文書表示を指定するとUI制御部９がそれを認識し、液晶ファクス制御部１２に受信文書の表示要求を通知する。
【００８４】
その要求を受けた液晶ファクス制御部１２は、下位モジュールである縮小画面制御部１３に受信文書の表示要求を通知する。
【００８５】
その後に液晶ファクス制御部１２は、メモリ４に対してデータ要求を送り、受信文書をメモリ４から読み出す。そして読み出したデータを縮小して縮小図用のデータを作成して、縮小画面制御部１３に転送する。そしてイメージ表示領域（図６の３１）に表示するデータを用意して、縮小画面制御部１３からの表示完了を待つ。この時、液晶ファクス制御部１２が用意する表示データは、スキャンした文書の左上を座標の原点としたイメージである。尚、本実施の形態では、受信した文書の左上を座標とした場合を用いて説明するが、これは任意であってよいものとする。また、表示させるイメージの拡大／縮小率は任意であってよい。
【００８６】
一方、縮小面制御部１３は縮小データを受け取ると、それをA4縮小図（図６の３２）としてLCD（図６の３０）に表示する。それと同時にA4縮小図の縦を4分割したキーマップ図（図６の３３）も作成してLCDに表示を行う。これらの表示が完了したら縮小画面制御部１３は表示完了通知を液晶ファクス制御部１２に送る。
【００８７】
表示完了通知を受信した液晶ファクス制御部１２は先ほど作成した表示用イメージをLCDのイメージ表示領域３１に表示する。ここまでで受信文書表示モードの画面表示が完了する（図７の状態）。
【００８８】
次にユーザは縮小図から印刷したい領域を決めて、それに対応付けられているキー番号をキーマップで確認する。本実施の形態（図１２の例）では“２”の領域を指定するので“２”を選択。ユーザが操作パネル１０を用いて“２”を押下すると、UI制御部９はその情報を液晶ファクス制御部１２に通知する。
【００８９】
液晶ファクス制御部１２は“２”が押下された場合の処理を知るために縮小画面制御部１３に処理問い合わせ（２押下）を通知する。
【００９０】
この通知を受け、縮小画面制御部１３は受信文書表示モードで“２”を押下された場合の処理を応答（表示／２の領域）通知で液晶ファクス制御部１２に知らせる。
【００９１】
液晶ファクス制御部１２では応答通知で知らされた内容に基づいて処理を行う。この場合は、“２”の領域を表示する必要があるので、メモリ４にデータ要求を通知してメモリから“２”の領域に当たるデータを読み出す。そして表示用イメージを作成しLCDに表示させる。
【００９２】
そしてユーザが表示された領域を印刷する領域として確定したい場合は“セット”を押下する。すると操作パネル１０からUI制御部９に“セット”が通知される。そしてその情報は更に液晶ファクス制御部１２にも通知される。液晶ファクス制御部１２は縮小画面制御部１３に処理問い合わせ（セット押下）を通知して、処理を問い合わせる。
【００９３】
縮小画面制御部１３ではセット押下時の処理内容として応答（B2印刷確定）を液晶ファクス制御部１２に返信する。ここでB2印刷確定とは領域２を印刷するための領域として確定するという意味である。ここまでで領域“２”が印刷したい領域として確定する。
【００９４】
図１２の例では領域“４”も印刷したい領域としているので、同様の手順により、領域“４”も印刷したい領域として確定する。ここまでで領域“２”と領域“４”とが印刷領域として確定する（図８の状態）。
【００９５】
ここからユーザが印刷ボタンを押下すると指定された領域２と領域４のみ印刷される。以上でユーザが指定した領域を簡単な手順で指定し、指定された領域のみ印刷することができる。
【図面の簡単な説明】
【００９６】
【図１】図１は、本発明の構成を示すブロック図である。
【図２】図２は、本発明の第１の実施の形態での表示画面と操作パネルとの一例である。
【図３】図３は、本発明の第１の実施の形態を説明するための図である。
【図４】図４は、本発明の第１の実施の形態の一例を説明するための図である。
【図５】図５は、本発明の第１の実施の形態の動作を説明するための図である。
【図６】図６は、本発明の第２の実施の形態での表示画面と操作パネルとの一例である。
【図７】図７は、本発明の第２の実施の形態を説明するための図である。
【図８】図８は、本発明の第２の実施の形態の一例を説明するための図である。
【図９】図９は、本発明の第２の実施の形態におけるスキャンした文書を表示する動作を説明するための図である。
【図１０】図１０は、本発明の第２の実施の形態における送信の動作を説明するための図である。
【図１１】図１１は、本発明の第２の実施の形態における受信した文書を表示する動作を説明するための図である。
【図１２】図１２は、本発明の第２の実施の形態における印刷の動作を説明するための図である。
【符号の説明】
【００９７】
４      メモリ
５      プリンタ制御部
７      スキャナ制御部
９      ＵＩ制御部
１０    操作パネル
１１    ＬＣＤ制御部
１２    液晶ファクス制御部
１３    縮小画面制御部
【図１】
2007274025.tif 000003
【図２】
2007274025.tif 000004
【図３】
2007274025.tif 000005
【図４】
2007274025.tif 000006
【図５】
2007274025.tif 000007
【図６】
2007274025.tif 000008
【図７】
2007274025.tif 000009
【図８】
2007274025.tif 000010
【図９】
2007274025.tif 000011
【図１０】
2007274025.tif 000012
【図１１】
2007274025.tif 000013
【図１２】
2007274025.tif 000014